(57)【要約】【課題】重要な画像及び信号の改善された観察を可能にする脈管内検査を実施するための装置を提供する。【解決手段】画像データを作成するための脈管内画像化装置（１）と、ＥＣＧ信号を測定するための心電図（ＥＣＧ）装置と、画面（８）とが、データ伝送のために、画面（８）の予め定められた第１の部分領域（Ｔ１）に画像データから作成された画像を表示させかつ画面（８）の予め定められた第２の部分領域（Ｔ２）に現在測定されたＥＣＧ信号を再現するグラフを同時に表示させるための装置（４）に接続されている。【選択図】図１
2007000639.tif 000002
【特許請求の範囲】
【請求項１】
画像データを作成するための脈管内画像化装置（１）と、
ＥＣＧ信号を測定するための心電図（ＥＣＧ）装置（５）と、
画面（８）とが、
データ伝送のために、画面（８）の予め定められた第１の部分領域（Ｔ１）に画像データから作成された画像を表示させかつ画面（８）の予め定められた第２の部分領域（Ｔ２）に現在測定されたＥＣＧ信号を再現するグラフを同時に表示させるための装置（４）に接続されていることを特徴とする脈管内検査を実施するための装置。
【請求項２】
脈管内画像化装置（１）が、光コヒーレンス断層画像化（ＯＣＴ）装置、超音波断層撮影装置、磁気共鳴（ＮＭＲ）断層撮影装置、Ｘ線装置の内の少なくとも１つを含むことを特徴とする請求項１記載の装置。
【請求項３】
装置（４）によって、１つの別の画像及び／又は１つの別のグラフを同時に表示するために少なくとも１つの別の予め定められた部分領域（Ｔ３、Ｔ４）が作成可能であることを特徴とする請求項１又は２記載の装置。
【請求項４】
装置（４）が、部分領域（Ｔ１、．．．．．．、Ｔ５）を作成し画像及びグラフを同時に表示するためのプログラムを備えたコンピュータを含むことを特徴とする請求項１乃至３の１つに記載の装置。
【請求項５】
グラフとして、信号、信号の誘導又は信号から作成された心電図が表示可能であることを特徴とする請求項１乃至４の１つに記載の装置。
【請求項６】
データ伝送のためのケーブル接続（３、７、９）及び／又は無線のデータ伝送のための送信／受信装置が設けられていることを特徴とする請求項１乃至５の１つに記載の装置。
【請求項７】
複数の画像及び／又は複数のＥＣＧ信号を時間的に関係させて記憶するためのメモリ装置が設けられていることを特徴とする請求項１乃至６の１つに記載の装置。
【請求項８】
画面（８）が、予め定められた機能領域（Ｆ１、．．．．．．、Ｆ７）の接触によって少なくとも１つの部分領域（Ｔ１、．．．．．．、Ｔ４）の内容を変更できる部分領域（Ｔ５）を有することを特徴とする請求項１乃至７の１つに記載の装置。
【発明の詳細な説明】
【技術分野】
【０００１】
本発明は脈管内検査を実施するための装置に関する。
【背景技術】
【０００２】
従来技術により脈管内検査を実施するために多数の方法が知られている。これらの方法は侵襲法と非侵襲法とに区別されている。侵襲法の場合、１つの画像の作成に適した画像データを作ることができる複数の信号を検出する１つ又は複数のセンサを尖端に設けたカテーテルが使用される。脈管内侵襲法には、例えば特許文献１から公知の光コヒーレンス断層画像化（ＯＣＴ）法が含まれる。さらに、脈管内領域の画像を作成するために、例えば特許文献２に記載されているような超音波法あるいは、例えば特許文献３に記載されているような磁気共鳴（ＮＭＲ）法が知られている。
【０００３】
非侵襲法には、特に従来技術により一般的に知られているＸ線法が含まれる。
【０００４】
特にＯＣＴ法により画像を作成するために、表示すべき血管を短時間バルーンを用いて閉鎖し、その中にある血液を洗浄液により押し出す必要がある。検査すべき血管が心筋の領域にある場合、血液循環の短時間の遮断が心活動の障害を引き起こし得る。このような障害を直ちに検出できるようにするために、従来技術により同時に心活動が心電図（ＥＣＧ）装置により監視される。ＥＣＧ装置によって作成された信号は、通常ＥＣＧ装置に接続された第１の画面上に表示される。血管内画像化装置によって作成された画像は、従来技術により脈管内画像化装置の構成要素である第２の画面上に表示される。これらの第１の画面及び第２の画面は、通常、互いに或る間隔で治療場に配置されている。欠点として、両画面の観察を同時に行うために、治療医が視野を一方の画面から他方の画面へ常に変える必要がある。これは集中力の増大を要求し、それによって不必要に早い疲労を生じる。
【特許文献１】国際公開第９７／３２１８２号パンフレット
【特許文献２】欧州特許第０８８５５９４号明細書
【特許文献３】米国特許第６３７７０４８号明細書
【発明の開示】
【発明が解決しようとする課題】
【０００５】
本発明の課題は、従来技術による上記の欠点を取り除き、特に、重要な画像及び信号の改善された観察を可能にする脈管内検査を実施するための装置を提供することにある。
【課題を解決するための手段】
【０００６】
上記の課題は請求項１の特徴によって解決される。本発明の優れた実施態様は請求項２〜８の特徴から生じる。
【０００７】
本発明に従って、脈管内検査を実施するための装置において、画像データを作成するための脈管内画像化装置と、ＥＣＧ信号を測定するための心電図（ＥＣＧ）装置と、画面とが、データ伝送のために、画面の予め定められた第１の部分領域に画像データから作成された画像を表示させかつ画面の予め定められた第２の部分領域に現在測定されたＥＣＧ信号を再現するグラフを同時に表示させるための装置（この装置は以下においては簡略化のために“画像及びグラフを同時に表示させるための装置”と呼ばれる）に接続されている。
【０００８】
本発明により提案された、単一の画面の予め定められた部分領域に画像及びグラフを同時に表示することによって、治療医は重要な信号及び画像を観察するために従来技術では必要であった“視野を常に変えること”をなくすことができる。これは疲労から解放される作業を可能にする。医師は、検査、例えばカテーテルの移動により良く集中することができる。また本発明により提案された、単一の画面上の画像及びグラフを同時に表示することは合併症の場合に迅速な対応を可能にする。提案された脈管内検査を実施するための装置は患者に対して脈管内検査の実施をより確実にする。
【０００９】
本発明の有利な実施態様によれば、脈管内画像化装置は、光コヒーレンス断層画像化（ＯＣＴ）装置、超音波断層撮影装置、磁気共鳴（ＮＭＲ）断層撮影装置、Ｘ線装置の内の少なくとも１つを含む。
【００１０】
脈管内画像化装置はそれらの装置の組み合わせを含むこともできる。これは特に精密かつ広範囲にアーチファクトのない画像の作成を可能にする。この場合に、付加的にそれらの装置から提供された画像データが１つの共通の画像を作成するためにレジストレーション及び／又は重ね合わせされる好適な画像処理装置が設けられていてもよい。
【００１１】
別の一実施態様に従って、画像及びグラフを同時に表示させるための装置により、１つの別の画像及び／又は１つの別のグラフを同時に表示するために少なくとも１つの別の予め定められた部分領域が作成可能である。この別の画像は、例えば検査した血管部分の一部の３次元表示であってもよい。さらに、患者の特定の生命機能を再現するデータを別のグラフに表示することができる。つまり、この別のグラフは、曲線表示あるいは数字、例えば血圧値又は他のデータの単純な再現であってもよい。
【００１２】
画像及びグラフを同時に表示させるための装置は、部分領域を作成し画像及びグラフを同時に表示させるためのプログラムを備えたコンピュータを含むと好ましい。この種のプログラムは従来技術により一般的に知られている。このプログラムは通常予め定められた部分領域もしくは窓の大きさや配置を選択することができる。
【００１３】
別の一実施態様に従って、グラフとして、信号、信号の誘導又は信号から作成された心電図を表示することができる。つまりこの場合、画像及びグラフを同時に表示させるための装置は、信号の誘導を作成するあるいは信号から心電図を作成するのに適した手段を含む。
【００１４】
別の一実施態様に従って、データ伝送のためのケーブル接続及び／又は無線のデータ伝送のための送信／受信装置が設けられる。後者はブルートゥース又は赤外線インタフェース等を含むことができる。
【００１５】
さらに、複数の画像及び／又は複数のＥＣＧ信号を時間的に関係させて記憶するためのメモリ装置が設けられていてもよい。これは検査時に得たデータの文書化及び／又は資料化を可能にする。さらに、データのその後の十分な評価が可能になる。メモリ装置は、画像及びグラフを同時に表示させるための装置の構成要素であってもよい。
【００１６】
本発明の特に好ましい別の一実施態様に従って、画面は、予め定められた機能領域の接触によって少なくとも１つの部分領域の内容を変更できる部分領域を有する。つまり、この画面はいわゆる「タッチスクリーン」であってもよい。部分領域に設けられた機能領域に接触することによって、例えば別の脈管内装置における別の画像を表示することができ、信号の誘導又は好適に計算されたグラフを選択かつ表示することができる。画面上に機能領域およびその操作手段を付加的に集積させることは、脈管内検査を実施するための装置の取扱いを容易にする。提案された「タッチスクリーン」の代わりに、もちろんマウス等により機能の制御を行うこともできる。
【発明を実施するための最良の形態】
【００１７】
以下において本発明の一実施例を図面によりより詳しく説明する。
図１は脈管内検査を実施するための装置の主要な構成要素を示す。
図２は第１の画面を示す。
図３は第２の画面を示す。
【００１８】
図１において、脈管内画像化装置１、例えばＯＣＴ装置はカテーテル２を備えている。脈管内画像化装置１は、第１のケーブル３を介してコンピュータ４に接続されている。ＥＣＧ装置５はＥＣＧ信号を検出するためのＥＣＧセンサ６を備えている。ＥＣＧ装置５は第２のケーブル７を介して同様にコンピュータ４に接続されている。符号８を付された画面は第３のケーブル９を介してコンピュータ４に接続されている。画面８は複数の部分領域Ｔ１、．．．．．．、Ｔ４に分けられている。
【００１９】
この脈管内検査を実施するための装置の機能は以下の通りである：
【００２０】
カテーテル２に設けた（ここに図示しない）センサ装置により、画像データの作成に適した信号が作成される。これらの信号は脈管内画像化装置１で画像データに変換され、第１のケーブル３を介してコンピュータ４に伝達される。コンピュータ４で画像データが１つの画像に処理され、画面８の部分領域Ｔ１、．．．．．．、Ｔ４の１つに表示される。
【００２１】
類似の方法で、ＥＣＧセンサ６のＥＣＧ装置５から提供された信号が、表示に適したグラフィックデータに変換され、第２のケーブル７を介してコンピュータ４に伝送される。コンピュータ４でグラフィックデータが部分領域Ｔ１、．．．．．．、Ｔ４の１つでの表示に適したフォーマットに変換され、引続いて画面８上で部分領域Ｔ１、．．．．．．、Ｔ４の１つに表示される。
【００２２】
図２は第１の画面８を示す。第１の画面８は５つの部分領域Ｔ１、．．．．．．、Ｔ５に分けられている。部分領域Ｔ１、Ｔ３は画像内容をもたない。部分領Ｔ１、Ｔ３は予め定められたプログラムに従って選択的に付加的に画像内容を有することができる。この種の画像内容は、例えば別の脈管内画像化装置、例えば超音波装置又はＮＭＲ装置によって作成することができる。１つ又は複数の部分領域Ｔ１、．．．．．．、Ｔ５は、一般的な情報、例えばバルーンの現在の状態あるいはバルーンによって生じた脈管の閉塞時間の表示に使用することもできる。
【００２３】
ここでＴ２を付された第２の部分領域において、ＯＣＴ装置により作成された２次元の画像が表示されている。第４の部分領域Ｔ４に、連続的にＥＣＧ装置５から引き渡された現在の信号が表示される。第５の部分領域Ｔ５は機能領域Ｆ１、．．．．．．、Ｆ７を有する。それにより治療医は機能領域Ｆ１、．．．．．．、Ｆ７の接触によって予め定められた機能を始動させることができ、例えば部分領域Ｔ１、．．．．．．、Ｔ５に表示された内容を変更し、あるいは別の表示内容で表示することができる。つまり、図２に示した画面８は機能の始動に適した接触感応スクリーンつまりタッチスクリーンである。
【００２４】
図３に、第４の部分領域Ｔ４にＥＣＧ信号から誘導された信号が表示されている。ここでは２つの誘導が第４の部分領域Ｔ４に示されている。つまり、部分領域Ｔ１、．．．．．．、Ｔ４に複数の誘導された信号及び／又は画像を表示することができる。
【図面の簡単な説明】
【００２５】
【図１】脈管内検査を実施するための装置の主要な構成要素を示す概略図
【図２】第１の画面を示す概略図
【図３】第２の画面を示す概略図
【符号の説明】
【００２６】
１          脈管内画像化装置
２          カテーテル
３          第１のケーブル
４          コンピュータ
５          ＥＣＧ装置
６          ＥＣＧセンサ
７          第２のケーブル
８          画面
９          第３のケーブル
【図１】
2007000639.tif 000003
【図２】
2007000639.tif 000004
【図３】
2007000639.tif 000005